【事件の表示】
　特願２０１７−　２０２１２号「遊技機」拒絶査定不服審判事件〔平成３０年　８月１６日出願公開、特開２０１８−１２６２４５号〕について、次のとおり審決する。
【結　論】
　本件審判の請求は、成り立たない。
【理　由】
第１　手続の経緯
　本件に係る出願（以下「本願」という。）は、平成２９年２月７日の出願であって、平成３０年１０月１１日付けで拒絶の理由が通知され、同年１２月１３日に意見書及び手続補正書が提出され、令和１年５月２２日付けで最後の拒絶の理由が通知され、同年７月１７日に意見書及び手続補正書が提出され、同年１１月１４日付け（謄本送達日：同年同月１９日）で、同年７月１７日に提出された手続補正書による補正が却下されるとともに拒絶査定がなされ、これに対し、令和２年１月２７日に拒絶査定不服審判の請求がなされると同時に手続補正書が提出されたものである。
第２　補正の却下の決定
［補正の却下の決定の結論］
　令和２年１月２７日に提出された手続補正書による補正（以下、「本件補正」という。）を却下する。
［理由］
１　補正の内容
　本件補正は、特許請求の範囲についてする補正を含むものであって、平成３０年１２月１３日提出の手続補正書によって補正された本件補正前の請求項１に、
「識別情報を変動表示する変動表示ゲームを表示可能な表示手段と、この表示手段を制御する制御手段とを備え、
　前記制御手段は、
　前記表示手段の表示領域に、
　未実施の前記変動表示ゲームの回数を示す第１保留表示と、
　未実施の前記変動表示ゲームの回数を前記第１保留表示とは異なる態様で示す第２保留表示と、を表示可能であり、
　前記表示手段の表示領域に表示している画像が縮小する縮小表示演出を実行可能であり、
　前記縮小表示演出において、縮小する画像と、前記縮小する画像が表示されている領域の周囲に位置する背景の画像との間にコントラストを設けた表示とすることが可能であり、前記第１保留表示と、前記第２保留表示とを前記縮小する画像として含めず、前記背景の画像の前面に表示
する
「識別情報を変動表示する変動表示ゲームを表示可能な表示手段と、この表示手段を制御する制御手段とを備え、
　前記制御手段は、
　前記表示手段の表示領域に、
　未実施の前記変動表示ゲームの回数を示す第１保留表示と、
　未実施の前記変動表示ゲームの回数を前記第１保留表示とは異なる態様で示す第２保留表示と、を表示可能であり、
　前記表示手段の表示領域に表示している画像が縮小する縮小表示演出を実行可能であり、
　前記縮小表示演出において、縮小する画像と、前記縮小する画像が表示されている領域の周囲に位置する背景の画像との間にコントラストを設けた表示とすることが可能であり、前記第１保留表示と、前記第２保留表示とを前記縮小する画像として含めず、前記背景の画像の前面に表示
し、
　
前記縮小する画像に含まれる複数の画像オブジェクトを、当該画像オブジェクト毎に縮小する割合を異ならせて表示することが可能である
 
２　補正の適否について
（１）補正の目的
　本件補正は、本件補正前の請求項１に記載した発明を特定するために必要な事項である「縮小する画像」に関して、「前記縮小する画像に含まれる複数の画像オブジェクトを、当該画像オブジェクト毎に縮小する割合を異ならせて表示することが可能である」ものに限定するものであって、かつ、補正前の請求項１に記載された発明と補正後の請求項１に記載された発明の産業上の利用分野及び解決しようとする課題が同一であるので、特許法第１７条の２第５項第２号の特許請求の範囲の減縮を目的とするものである（なお、下線は合議体が付した。）。
（２）新規事項
　本件補正は、本願の願書に最初に添付した明細書、特許請求の範囲又は図面における【０８２４】ないし【０８２５】や図１６６等の記載に基づくものであり、新たな技術事項を導入するものではないから、特許法第１７条の２第３項に規定する要件を満たす。
３　独立特許要件について
　そこで、本件補正後の請求項１に係る発明（以下「本願補正発明」という。）が、特許出願の際独立して特許を受けることができるものであるか（特許法第１７条の２第６項において準用する同法第１２６条第７項の規定に適合するか）についても、以下、検討する。
　
（１）本願補正発明
　本願補正発明を再掲すると、次のとおりのものである（なお、記号ＡないしＦは、分説するため合議体が付した。）。
「Ａ　識別情報を変動表示する変動表示ゲームを表示可能な表示手段と、この表示手段を制御する制御手段とを備え、
　Ｂ　前記制御手段は、
　　　前記表示手段の表示領域に、
　　　未実施の前記変動表示ゲームの回数を示す第１保留表示と、
　　　未実施の前記変動表示ゲームの回数を前記第１保留表示とは異なる態様で示す第２保留表示と、を表示可能であり、
　Ｃ　前記表示手段の表示領域に表示している画像が縮小する縮小表示演出を実行可能であり、
　Ｄ　前記縮小表示演出において、縮小する画像と、前記縮小する画像が表示されている領域の周囲に位置する背景の画像との間にコントラストを設けた表示とすることが可能であり、前記第１保留表示と、前記第２保留表示とを前記縮小する画像として含めず、前記背景の画像の前面に表示し、
　Ｅ　前記縮小する画像に含まれる複数の画像オブジェクトを、当該画像オブジェクト毎に縮小する割合を異ならせて表示することが可能である
　Ｆ　ことを特徴とする遊技機。」
　
（２）引用例１
　原査定の拒絶の理由に引用文献２として引用され、本願出願前に電気通信回線を通じて公衆に利用可能となった特開２０１５−１５０１１０号公報（平成２７年８月２４日出願公開、以下「引用例１」という。）には、遊技台（発明の名称）に関し、次の事項が図とともに記載されている（下線は引用発明等の認定に関連する箇所を明示するために合議体が付した。以下同様。）。
　ア　「【技術分野】
　【０００１】
　本発明は、弾球遊技機（パチンコ機）や回胴遊技機（スロットマシン）に代表される遊技台に関する。
【背景技術】
【０００２】
　従来、複数の表示を表示可能な遊技台が知られている。
　・・・略・・・
【発明の概要】
【発明が解決しようとする課題】
【０００４】
　しかしながら、従来の遊技台では、表示が単調になりやすく、表示について改良の余地があった。
【０００５】
　本発明の目的は、多彩な態様で表示を行うことで、興趣が向上された遊技台を提供することにある。」
　イ　「【発明を実施するための形態】
【０００９】
　以下、図面を用いて、本発明の一実施の形態に係る遊技台（例えば、パチンコ機等の弾球遊技機やスロットマシン等の回胴遊技機）について説明する。まず、図１を用いて、本実施の形態によるパチンコ機１００の全体構成について説明する。なお、同図はパチンコ機１００を正面側（遊技者側）から見た外観斜視図である。
パチンコ機１００
　・・・略・・・
【００２１】
　図３は、遊技盤２００を正面から見た略示正面図である。遊技盤２００には、外レール２０２と内レール２０４とを配設し、遊技球が転動可能な遊技領域１２４を区画形成している。遊技領域１２４の略中央には、演出装置２０６を配設している。演出装置２０６には、略中央に
装飾図柄表示装置２０８を配設している
　・・・略・・・
【００３９】
　次に、図４を用いて、このパチンコ機１００の制御部の回路構成について詳細に説明する。なお、同図は制御部の回路ブロック図を示したものである。パチンコ機１００の制御部は、大別すると、遊技の中枢部分を制御する主制御部３００と、主制御部３００が送信するコマンド信号（以下、単に「コマンド」という）に応じて主に
演出の制御を行う第１副制御部４００
　・・・略・・・
【００６０】
　図５（ｃ）は装飾図柄の一例を示したものである。本実施形態の装飾図柄には、「装飾１」〜「装飾１０」の１０種類がある。「装飾１」〜「装飾９」および「装飾１０」は、それぞれ数字の「１」〜「９」および「０」を表している。特図１始動口２３０または特図２始動口２３２に球が入賞したこと、すなわち、特図１始動口２３０に球が入球したことを第１始動口センサが検出したこと、あるいは特図２始動口２３２に球が入球したことを第２始動口センサが検出したことを条件にして、
装飾図柄表示装置２０８の左図柄表示領域２０８ａ、中図柄表示領域２０８ｂ、右図柄表示領域２０８ｃの各図柄表示領域に、
装飾図柄の変動表示
を行う。
　・・・略・・・
【０１１５】
　これらの特図関連抽選処理についても、主制御部３００が特図２関連抽選処理を特図１関連抽選処理よりも先に行うことで、特図２変動遊技の開始条件と、特図１変動遊技の開始条件が同時に成立した場合でも、特図２変動遊技が先に変動中となるため、特図１変動遊技は変動を開始しない。また、特図２変動遊技の保留数が１以上の場合には、特図１変動遊技の保留に関する抽選処理や変動遊技は行われない。また、
装飾図柄表示装置２０８による、特図変動遊技の当否判定の結果の報知は、第１副制御部４００によって行われ
　ウ　「【０２１３】
　次に、本実施の形態による
パチンコ機１００
【０２１４】
（実施例１）
　図１６および図１７は、本実施の形態の実施例１における演出表示の例を示している。図１６（ａ）〜（ｒ）および図１７（ａ）〜（ｈ）は、この順に時系列に並んで各時点毎の演出表示状態を示している。図１６（ａ）〜（ｒ）および図１７（ａ）〜（ｈ）の各図は、図３に示すパチンコ機１００の遊技盤２００の略示正面図から装飾図柄表示装置２０８、特図１表示装置２１２、特図２表示装置２１４、特図１保留ランプ２１８、および特図２保留ランプ２２０だけを抜き出して示している。各図において、装飾図柄表示装置２０８の図柄表示領域２０８ａ〜２０８ｃにおける装飾図柄の変動表示は下向きの白抜き太矢印で表している。また、特図１表示装置２１２、特図２表示装置２１４、特図１保留ランプ２１８および特図２保留ランプ２２０の消灯部分は白抜きで表し、点灯部分は黒塗りで表している。また、特図１表示装置２１２全てのセグメントを白抜きで表した状態は、特図１の変動表示が行われていることを示している。この点は特図２表示装置２１４についても同様である。」
　エ　「【０２１６】
　また、各図における
装飾図柄表示装置２０８の演出表示領域２０８ｄ
【０２１７】
　また、図１６（ａ）に例示するように、
演出表示領域２０８ｄの下部であって変動アイコン表示領域８００の右側に隣接する
領域
特図１保留アイコンと当該特図１保留アイコンを載置するように
特図１台座画像９００とを表示可能な特図１保留アイコン表示領域
【０２１８】
　特図１保留アイコン表示領域では、１つまたは複数の特図１保留アイコンを表示することが可能である。特図１保留アイコン表示領域では、特図１保留アイコンの個数によって特図１変動遊技の保留数を報知することが可能であるとともに、各特図１保留アイコンの表示態様によって当該保留に係る特図１変動遊技の当否を所定の信頼度で報知（先読み予告）することが可能である。
【０２１９】
　特図１台座画像（以下、「特図１台座」と略称する場合がある）９００は横長の長方形形状を有している。本例の特図１台座９００は最大４つの特図１保留アイコンを載置するように表示可能であり、左から右に向かって、第１領域、第２領域、第３領域、第４領域の４つの領域に大まかに分かれている。第１〜第４の各領域は、それぞれ１番目〜４番目の保留順位に対応している。すなわち、第１領域には最先の（最も過去に記憶された）保留に対応する特図１保留アイコンが表示可能となっており、同様に第２〜第４領域には２〜４個目の保留に対応する特図１保留アイコンがそれぞれ表示可能となっている。本例では、特図１台座９００の第１〜第４領域にそれぞれ数字１〜４が表示されており、表示された数字によって第１〜第４領域の位置が明示されているが、第１〜第４領域の位置の明示は省略してもよい。
【０２２０】
　特図１台座９００上に表示される特図１保留アイコンは、変動アイコンとは異なる表示サイズ（例えば、変動アイコンより小さい表示サイズ）で表示されるようにしてもよい。これにより、特図１保留アイコンと変動アイコンとの識別が容易になる場合がある。
【０２２１】
　また、図１６（ｇ）に例示するように、
演出表示領域２０８ｄの右端辺に隣接する縦長の長方形の仮想の破線枠で囲まれた領域は、特図２保留アイコンと当該特図２保留アイコンを載置するように視認させる特図２台座画像９１０とを表示可能な特図２保留アイコン表示領域になっている
【０２２２】
　特図２保留アイコン表示領域では、１つまたは複数の特図２保留アイコンを表示することが可能である。特図２保留アイコン表示領域では、特図２保留アイコンの個数によって特図２変動遊技の保留数を報知することが可能であるとともに、各特図２保留アイコンの表示態様によって当該保留に係る特図２変動遊技の当否を所定の信頼度で報知（先読み予告）することが可能である。
【０２２３】
　特図２台座画像（以下、「特図２台座」と略称する場合がある）９１０は縦長の長方形形状を有している。本例の特図２台座９１０は最大４つの特図２保留アイコンを載置するように表示可能であり、下から上に向かって、第１領域、第２領域、第３領域、第４領域の４つの領域に大まかに分かれている。第１〜第４の各領域は、それぞれ１番目〜４番目の保留順位に対応している。すなわち、第１領域には最先の（最も過去に記憶された）保留に対応する特図２保留アイコンが表示可能となっており、同様に第２〜第４領域には２〜４個目の保留に対応する特図２保留アイコンがそれぞれ表示可能となっている。本例では、特図２台座９１０の第１〜第４領域にそれぞれ数字１〜４が表示されており、表示された数字によって第１〜第４領域の位置が明示されているが、第１〜第４領域の位置の明示は省略してもよい。
【０２２４】
　特図２台座９１０上に表示される特図２保留アイコンは、変動アイコンとは異なる表示サイズ（例えば、変動アイコンより小さい表示サイズ）で表示されるようにしてもよい。これにより、特図２保留アイコンと変動アイコンとの識別が容易になる場合がある。
【０２２５】
　図１６（ａ）は、特図１変動遊技の終了後の状態を示している。特図１表示装置２１２には特図Ｇ（はずれ図柄）が停止表示されている。また、特図２表示装置２１４には直近の特図２変動遊技の停止図柄である特図ｄ（はずれ図柄）が停止表示されている。また、特図１保留ランプ２１８の左から１番目のＬＥＤが点灯されて特図１の作動保留球の数（特図１の保留数）が１つであることが報知されており、特図２保留ランプ２２０の全てのＬＥＤが消灯されて特図２の作動保留球の数（特図２の保留数）が０であることが報知されている。
【０２２６】
　
装飾図柄表示装置２０８
特図１保留アイコン表示領域
特図１保留アイコン９０１が表示されている
特図１保留アイコン９０１の表示態様は、白色円形である
【０２２７】
　図１６（ｂ）は、特図１の保留が消化されて、特図１変動遊技が開始された状態を示している。特図１表示装置２１２では特図１の変動表示が実行され、左中右図柄表示領域２０８ａ〜２０８ｃでは装飾図柄の変動表示が実行され、第４図柄表示領域９２０では第４図柄の変動表示が実行されている。また、特図１保留ランプ２１８の左から１番目のＬＥＤを消灯させて、特図１の保留数が１減少して特図１の保留数が０になったことが報知される。特図１保留ランプ２１８では、特図１の保留が減少したことが特図１変動遊技の開始とほぼ同時に報知される。
【０２２８】
　また、特図１の保留が１個減少し、特図１変動遊技が開始されると、装飾図柄表示装置２０８の変動アイコン表示領域８００および特図１保留アイコン表示領域では、保留・変動アイコン間の移動アニメーションが実行される。保留・変動アイコン間の移動アニメーションでは、特図１台座９００の第１領域に表示されていた特図１保留アイコン９０１が、変動アイコン８０１となって、変動アイコン表示領域８００に移動する。図１６（ｂ）は、変動アイコン８０１が変動アイコン表示領域８００内への移動を完了させており、保留・変動アイコン間の移動アニメーションが終了している状態を示している。変動アイコン８０１の表示態様は、特図１保留アイコン９０１と同様に白色円形である。
【０２２９】
　図１６（ｃ）は、特図１変動遊技の実行中に特図２の保留が１つ増加した状態を示している。特図２保留ランプ２２０は、特図２の保留が０から１に増加したことを表示している。また、第４図柄表示領域９２０では第４図柄の変動表示が実行されている。特図２の保留が０から１に増加したことに基づき、特図２台座９１０が画像表示領域の右側上方から特図２保留アイコン表示領域の所定の位置まで徐々に降下して移動するアニメーション（以下、「特図２台座移動アニメーション」と称する場合がある）の実行が開始される。
また、特図２の保留が増加すると、特図２の保留増加アニメーション１の実行が開始される。保留増加アニメーションは、保留数を示す保留アイコンが増加する様子を表すアニメーションである。
【０２３０】
　図１６（ｄ）〜（ｇ）は、特図１変動遊技が継続中であり、特図２台座移動アニメーションと特図２の保留増加アニメーション１が開始してから終了するまでの状態を示している。第４図柄表示領域９２０では第４図柄の変動表示が実行されている。図１６（ｄ）は、特図２台座移動アニメーションと特図２の保留増加アニメーション１が開始された状態を示している。特図２台座移動アニメーションでは、特図２台座９１０が画像表示領域の右側上方から徐々に降下して第１領域までが見えるようになった表示がなされている。特図２の保留増加アニメーション１では、
表示態様が白色四角形である特図２保留アイコン９１１
オ　「【０２６４】
（実施例２）
　図１８は、本実施の形態の実施例２における演出表示の例を示している。図１８（ａ）〜（ｎ）は、この順に時系列に並んで各時点毎の演出表示状態を示している。図１８（ａ）〜（ｎ）の各図に示す構成は実施例１の図１６（ａ）に示す構成と同一であり、また同一の動作および作用効果を奏するので、それらには同一の符号を付して説明は省略する。
【０２６５】
　また、図１８（ａ）〜（ｎ）の各図における装飾図柄表示装置２０８の画像表示領域内の
装飾図柄表示領域
特図１保留アイコン表示領域
等の配置や
特図１台座９００、保留アイコン９０１
の表示等は図１６（ａ）に示すものと同一なのでその説明は省略する
【０２６６】
　図１８（ａ）は、特図１変動遊技の実行中の状態を示している。特図１表示装置２１２では特図１の変動表示が実行され、特図２表示装置２１４には特図ｄ（はずれ図柄）が停止表示されている。また、特図１保留ランプ２１８では特図１の作動保留球の数（特図１の保留数）が１つであることが報知されており、特図２保留ランプ２２０では特図２の作動保留球の数（特図２の保留数）が０であることが報知されている。
【０２６７】
　
装飾図柄表示装置２０８の画像表示領域全体に亘って、背景演出として背景アニメーションの表示（第一の表示）が実行されている
第一の表示態様による表示の後の
期間において、背景画像が画像表示領域内で縮小表示され
【０２６８】
　左中右図柄表示領域２０８ａ〜２０８ｃでは装飾図柄の変動表示が実行され、第４図柄表示領域９２０では第４図柄の変動表示が実行されている。特図１保留アイコン表示領域の特図１台座９００の第１領域には白色円形のデフォルトの表示態様で特図１保留アイコン９０１が表示されている。また、変動アイコン表示領域８００には、当該特図１変動遊技に対する変動アイコン７００が表示されている。変動アイコン７００の表示態様は、白色円形である。
【０２６９】
　図１８（ｂ）は、特図１変動遊技の実行中であり、背景アニメーションが第一の表示態様で実行されている最中に、松の盆栽を模した画像（以下、「盆栽」と称する場合がある）９２２を用いた盆栽アニメーションの表示（第二の表示）が実行されている状態を示している。図１８（ｂ）では盆栽アニメーションは、背景画像の手前で盆栽９２２が上から降下してくる第二の表示態様で表示される。盆栽９２２は当該特図１変動遊技の結果を予告報知している。
【０２７０】
　図１８（ｃ）は、特図１変動遊技の実行中であり、背景アニメーションが第三の表示態様で表示され、盆栽アニメーションが第四の表示態様で表示されている状態を示している。第三の表示態様では背景アニメーションの背景画像が縮小表示される。この背景画像の縮小表示は当該変動に対する予告である。
背景画像の縮小表示に伴い、左中右図柄表示領域２０８ａ〜２０８ｃの表示領域も縮小表示される
特図１保留アイコン表示領域
の配置や
特図１台座９００、保留アイコン９０１
の表示
は背景画像の縮小表示とは連動せずに元の位置で元の大きさで表示される
画像表示領域内の背景画像以外の領域には例えば単色の塗りつぶし画像が表示されている
【０２７１】
　図１８（ｄ）は、特図１変動遊技の実行中であり、背景アニメーションの第三の表示態様での表示が継続され、盆栽アニメーションの第四の表示態様での表示が継続されている状態を示している。第三の表示態様では背景画像がより縮小され且つ背景画像が左方に移動する。背景画像の右側には別の演出の画像が表示される。第四の表示態様では盆栽９２２が背景画像のさらなる縮小表示に伴いさらに縮小表示され且つ背景画像と一緒に左方に移動する。このように、盆栽９２２による予告を表示しつつ、背景画像の縮小表示による予告を同時に表示している。なお、この２つの予告は共に表示内容が更新され続ける。
【０２７２】
　また、図１８（ｄ）は、特図１変動遊技の実行中に特図１の保留が１つ増加した状態を示している。特図１保留ランプ２１８は、特図１の保留が１から２に増加したことを表示している。特図１の保留が増加したことに基づいて特図１の保留増加アニメーションの実行が開始され、特図１台座９００の第２領域の下方から特図１保留アイコン９０５が上昇を開始している。なお、始動入賞に伴う保留増加アニメーションは背景画像の縮小表示による予告の影響を受けない。また、保留アイコンは先読み予告であるため、先読み予告は背景画像の縮小表示による予告の影響を受けないとも言える。
【０２７３】
　図１８（ｅ）は、特図１変動遊技の実行中であり、背景アニメーションの第三の表示態様での表示が継続され、盆栽アニメーションの第四の表示態様での表示が継続されている状態を示している。第三の表示態様では背景画像がより縮小され且つ画像表示領域を左方に移動している。背景画像の右側には別の演出のアニメーション画像の全体が表示されている。第四の表示態様では盆栽９２２が背景画像のさらなる縮小表示に伴いさらに縮小表示され且つ背景画像と一緒に画像表示領域を左方に移動している。また、特図１の保留増加アニメーションが継続中である。なお、背景アニメーションと別の演出のアニメーションの両方に装飾図柄の変動表示が表示されている。
【０２７４】
　図１８（ｆ）は、特図１変動遊技の実行中であり、背景アニメーションの第三の表示態様での表示と盆栽アニメーションの第四の表示態様での表示が終了する状態を示している。画像表示領域では右から移動してきた別の演出の表示領域が拡大されて別の演出が表示の中心となっている。また、特図１の保留増加アニメーションが終了している。
【０２７５】
　図１８（ｇ）〜（ｌ）は当該別の演出が実行されている。当該別の演出は二人の武士の戦いを描く演出であり当該特図変動遊技の結果の予告を報知している。図１８（ｇ）において、表示の変化により視認可能となる領域において、何らかの表示を行っていてもよい。当該表示は遊技に関する表示（例えば、抽選結果等の遊技者の利益に関する表示）であってもよいし、遊技と関係の無い単なる装飾であってもよい。図１８（ｈ）では、背景画像の縮小表示による予告の表示終了後に、当該変動についての別の予告が表示される。当該別の予告の導入部は、図１８（ｇ）に示すように背景画像の縮小表示による予告の表示中に表示されている。図１８（ｍ）は左中右図柄表示領域２０８ａ〜２０８ｃに「装飾３−装飾３−装飾３」が仮停止している状態を示している。図１８（ｎ）は、左中右図柄表示領域２０８ａ〜２０８ｃに「装飾３−装飾３−装飾３」が停止して大当りが確定となったことを表示している状態を示している。
【０２７６】
　当該構成を備えたパチンコ機１００によれば、第一の表示の表示態様によって、第二の表示の表示態様が変わるため、遊技者を第一の表示に注目させることができる場合がある。また、第二の表示の表示態様から第一の表示の表示態様を推測可能であるため、表示手段において複数の表示が行われている場合であっても、当該複数の表示全てに注意する必要がなく、一箇所の表示のみに注視すればよいため効率がよい場合がある。」
　カ　「【０３８８】
　なお、上記詳細な説明で説明した事項、特に実施例および変形例で説明した事項は組み合わせることが可能である。」
　キ　「【図１６】
　　　
　　　【図１７】
　　　　
【図１８】
」
　ク　演出表示状態を示す図１８（ｂ）ないし（ｄ）の記載からみて、
特図１台座９００及び保留アイコン９０１は、縮小表示された背景画像の前面に表示されている
　ケ　上記アないしクからみて、引用例１には、実施例１の説明を援用した実施例２として、次の発明が記載されている。なお、ａないしｆについては本願補正発明のＡないしＦに概ね対応させて付与し、引用箇所の段落番号等を併記した。
「ａ　左図柄表示領域２０８ａ、中図柄表示領域２０８ｂ、右図柄表示領域２０８ｃの各図柄表示領域で装飾図柄の変動表示を行う装飾図柄表示装置２０８（【００２１】、【００６０】）と、演出の制御を行う第１副制御部４００（【００３９】）とを備え、
　ｂ　装飾図柄表示装置２０８の演出表示領域２０８ｄの下部であって、変動アイコン表示領域８００の右側に隣接する特図１保留アイコン表示領域で、特図１台座画像９００に載置するように白色円形の特図１保留アイコンを表示可能とし（【０２１６】、【０２１７】）、
　ｃ　装飾図柄表示装置２０８の画像表示領域全体に亘って、背景演出として背景アニメーションの表示が実行され、該表示の後の期間において、背景画像が画像表示領域内で縮小表示され（【０２６７】）、
　ｄ　背景画像の縮小表示に伴い、左中右図柄表示領域２０８ａ〜２０８ｃの表示領域も縮小表示され、特図１保留アイコン表示領域の配置や、特図１台座９００、保留アイコン９０１の表示は背景画像の縮小表示とは連動せずに元の位置で元の大きさで表示され、画像表示領域内の背景画像以外の領域には例えば単色の塗りつぶし画像が表示され（【０２７０】）、特図１台座９００及び保留アイコン９０１は、縮小表示された背景画像の前面に表示されている（上記ク）、
　ｆ　パチンコ機１００（【０００９】）。」（以下「引用発明」という。）
（３）引用例２
　原査定の拒絶の理由に引用文献１として引用され、本願出願前に電気通信回線を通じて公衆に利用可能となった特許第５９５３５４３号公報（平成２８年７月２０日発行、以下「引用例２」という。）には、遊技台（発明の名称）に関し、次の事項が図とともに記載されている。
　ア　「【技術分野】
【０００１】
　本発明は、弾球遊技機（
パチンコ機
　イ　「【０３９６】
　（実施例１） 本実施の形態の実施例１の演出例について図２８を用いて説明する。また、図２８および後述する各図では、各実施例における特図１変動遊技の演出例が時系列で示されている。また、装飾図柄表示装置２０８の図柄表示領域２０８ａ〜２０８ｃにおける装飾図柄の変動を白抜き太矢印で表している。
・・・略・・・
【０４３２】
　図２９（ｏ）は、回転対象画像が図２９（ｎ）の状態から装飾図柄表示装置２０８の画像表示領域の中心を回転中心として反時計回りに４５°回転（合計２７０°回転）した状態を示している。回転対象画像は、縦横比１：１の画面に合わせた縦横比で表示されている。また、図２９（ｏ）においては、回転対象画像は見切れていない。また、図２９（ｏ）は、変動アイコンの表示態様を変化させる演出が実行された状態を示している。当該演出では、保留変化画像ｈ２から雷が発生し、黒色円形で表示された変動アイコンに落雷するアニメーションが実行されている。落雷した変動アイコンは、エフェクト画像とオーバーラップすることで、当該エフェクト画像によって変動アイコンの全体が隠されている。また、図２９（ｏ）は、遊技球が特図１始動口２３０に入球したことに基づいて、
特図１保留数表示領域９３１では「２」が表示され、特図１保留アイコン表示領域９５０の第２領域に黒色円形で表示され
　ウ　「【０４３５】
　（実施例３） 本実施の形態の実施例３の演出例について図３０を用いて説明する。図３０（ａ）〜（ｒ）は特図１変動遊技の演出を時系列で表示している。図３０（ａ）〜（ｈ）は、図２９（ａ）〜（ｈ）と同じ状態を示している。次いで、図３０（ｉ）は、演出表示領域２０８ｄの右下部に殿のキャラクタ画像ｈ３が表示されている。殿のキャラクタ画像ｈ３と装飾枠ｆ２とがオーバーラップして表示され、殿のキャラクタ画像ｈ３の一部（あごの部分）が装飾枠ｆ２によって隠されている。また、図３０（ｉ）は、図２９（ｉ）と殿のキャラクタ画像ｈ３および殿のキャラクタ画像ｈ３のセリフを表す吹き出し画像の表示位置が異なることを除けば同じ状態を示している。次いで、図３０（ｊ）は、図２９（ｊ）と殿のキャラクタ画像ｈ３および殿のキャラクタ画像ｈ３のセリフを表す吹き出し画像の表示位置が異なることを除けば同じ状態を示している。
【０４３６】
　図３０（ｋ）は、装飾図柄表示装置２０８に表示された装飾図柄、殿のキャラクタ画像ｈ３、および殿のキャラクタ画像ｈ３のセリフを表す吹き出し画像（以下、本実施例において、これらの画像を「
回転対象画像
が、装飾図柄表示装置２０８の画像表示領域の中心を回転中心として
回転した
回転表示予告演出では、
装飾枠ｆ１、装飾枠ｆ１内に表示された画像、装飾枠ｆ２、装飾枠ｆ２内に表示された画像
非回転対象画像
の回転表示が実行されず
非回転対象画像は回転対象画像よりも優先して表示される
【０４３７】
　図３０（ｋ）では、回転対象画像の縦横比を変化して表示している。回転前の回転対象画像は、縦横比９：１６（装飾図柄表示装置２０８の画面の縦横比）の画面に合わせた縦横比で表示されているのに対して、図３０（ｋ）に示す回転対象画像の縦横比は、縦横比３：４の画面に合わせた縦横比に変化している。また、殿のキャラクタ画像ｈ３は、隠されていたあごの部分が表示されている。また、左図柄表示領域２０８ａに表示された「装飾３」の一部が、装飾図柄表示装置２０８において見切れている。次いで、図３０（ｌ）は、回転対象画像が図３０（ｋ）の状態から装飾図柄表示装置２０８の画像表示領域の中心を回転中心として反時計回りに４５°回転した状態を示している。回転対象画像の縦横比は、縦横比１：１の画面に合わせた縦横比に変化している。次いで、図３０（ｍ）は、回転対象画像が図３０（ｌ）の状態から装飾図柄表示装置２０８の画像表示領域の中心を回転中心として反時計回りに９０°回転した状態を示している。また、回転対象画像の縦横比は、回転前の回転対象画像の縦横比に変化している。次いで、図３０（ｎ）は、回転対象画像が図３０（ｍ）の状態から装飾図柄表示装置２０８の画像表示領域の中心を回転中心として反時計回りに４５°回転した状態を示している。回転対象画像の縦横比は、縦横比３：４の画面に合わせた縦横比に変化している。また、図３０（ｎ）は、回転表示予告演出の実行中に保留変化画像ｈ２が、回転対象画像として、中図柄表示領域２０８ｂ、右図柄表示領域２０８ｃに表示された装飾図柄、および殿のキャラクタ画像ｈ３にオーバーラップして表示される。図３０（ｎ）に表示されている保留変化画像ｈ２は、変動アイコンの表示態様を変化させる当該変動の予告の演出に用いられる画像である。
【０４３８】
　図３０（ｏ）は、回転対象画像が図３０（ｎ）の状態から装飾図柄表示装置２０８の画像表示領域の中心を回転中心として反時計回りに４５°回転した状態を示している。回転対象画像の縦横比は、縦横比１：１の画面に合わせた縦横比に変化している。また、図３０（ｏ）は、変動アイコンの表示態様を変化させる演出（変動アイコンの変化アニメーション）が実行された状態を示している。本実施例での当該演出では、保留変化画像ｈ２から発生した雷は、変更対象の変動アイコンとは異なる位置に落ちるように表示される。また、非回転対象画像の変動アイコンは、保留変化画像ｈ２から雷が発生してエフェクト画像が表示されたタイミングで、黒色円形から円の中に「熱」の文字が描かれた態様に変化している。本実施例では、変化する変動アイコンがエフェクト画像で隠されないので、変化する変動アイコンがエフェクト画像で隠される場合よりも変化後の変動アイコンが早く視認可能となる。
【０４３９】
　図３０（ｐ）は、回転対象画像が図３０（ｏ）の状態から装飾図柄表示装置２０８の画像表示領域の中心を回転中心として反時計回りに４５°回転した状態を示している。回転対象画像の縦横比は、縦横比３：４の画面に合わせた縦横比に変化している。保留変化画像ｈ２、雷画像、およびエフェクト画像が消去されている。次いで、図３０（ｑ）は、回転対象画像が図３０（ｐ）の状態から装飾図柄表示装置２０８の画像表示領域の中心を回転中心として反時計回りに４５°回転し元に戻った状態を示している。また、回転対象画像の縦横比は、元の縦横比に戻っている。次いで、図３０（ｒ）は、装飾図柄表示装置２０８の左中右図柄表示領域２０８ａ〜２０８ｃに「装飾３−装飾２−装飾３」が停止表示され、特図１変動遊技の結果がはずれであることが報知された状態を示している。また、変動アイコン表示領域９４０に表示されていた変動アイコンが下方に移動することで、変動アイコンを消去する消去アニメーションが実行されている。
【０４４０】
　このように本実施例の回転表示予告演出では、回転対象画像の回転表示を行う場合において、非回転対象画像は回転しない。非回転対象画像には、第４図柄表示領域に表示された第４図柄、保留数表示領域に表示された保留数表示、保留アイコン、および変動アイコン等の画像が用いられる。このため、遊技者にとって重要な情報を報知する画像を回転させないようにしている。」
　エ　「【図３０】
　　　　
」
　
　オ　上記アないしエからみて、引用例２には、次の事項が記載されている。なお、引用箇所の段落番号等を併記した。
「パチンコ機において（【０００１】）、
　特図１保留数表示領域９３１では「２」が表示され、特図１保留アイコン表示領域９５０の第２領域に黒色円形で表示され（【０４３２】）、
　回転対象画像が、装飾図柄表示装置２０８の画像表示領域の中心を回転中心として回転する回転表示予告演出では、装飾枠ｆ１、装飾枠ｆ１内に表示された画像（特図１保留数表示領域９３１）、装飾枠ｆ２、装飾枠ｆ２内に表示された画像（特図１保留アイコン表示領域９５０）を含む非回転対象画像の回転表示が実行されず、非回転対象画像は回転対象画像よりも優先して表示されること（【０４３６】、図３０）。」（以下「引用例２の記載事項」という。）
（４）対比
　本願補正発明と引用発明を対比する（見出し（ａ）ないし（ｆ）は、本願補正発明の特定事項ＡないしＦに対応する。）。
（ａ）引用発明の「装飾図柄の変動表示を行う装飾図柄表示装置２０８」及び「演出の制御を行う第１副制御部４００」は、それぞれ本願補正発明の「識別情報を変動表示する変動表示ゲームを表示可能な表示手段」及び「この表示手段を制御する制御手段」に相当する。
　そうすると、引用発明のａは、本願補正発明の特定事項Ａに相当する。
（ｂ）引用発明の「演出表示領域２０８ｄ」は、本願補正発明の「表示領域」に相当する。
　また、引用発明の「特図１保留アイコン」は、技術常識からみて、未実施の変動表示ゲームの回数を示すから、本願補正発明の「未実施の前記変動表示ゲームの回数を示す第１保留表示」に相当する。
　また、引用発明において、第１副制御部４００（制御手段）が、特図１保留アイコンを演出表示領域２０８ｄ（表示領域）で表示可能としていることは明らかである。
　そうすると、引用発明の「ｂ　装飾図柄表示装置２０８の演出表示領域２０８ｄの下部であって、変動アイコン表示領域８００の右側に隣接する特図１保留アイコン表示領域で、特図１台座画像９００に載置するように白色円形の特図１保留アイコンを表示可能とし」と、本願補正発明の「Ｂ　前記制御手段は、前記表示手段の表示領域に、未実施の前記変動表示ゲームの回数を示す第１保留表示と、未実施の前記変動表示ゲームの回数を前記第１保留表示とは異なる態様で示す第２保留表示と、を表示可能であり、」とは、「前記制御手段は、前記表示手段の表示領域に、未実施の前記変動表示ゲームの回数を示す第１保留表示」「を表示可能であり、」で一致する。
（ｃ）引用発明の「背景画像の縮小表示」は、本願補正発明の「前記表示手段の表示領域に表示している画像が縮小する縮小表示演出」に相当する。
　そうすると、引用発明の「ｃ　装飾図柄表示装置２０８の画像表示領域全体に亘って、背景演出として背景アニメーションの表示が実行され、該表示の後の期間において、背景画像が画像表示領域内で縮小表示され」は、本願補正発明の「Ｃ　前記表示手段の表示領域に表示している画像が縮小する縮小表示演出を実行可能であり」に相当する。
（ｄ）引用発明のｄは、保留アイコン９０１（第１保留表示）は、背景画像の縮小表示（縮小表示演出）とは連動せずに元の大きさで表示され、縮小表示された背景画像の前面に表示されるものであるから、本願補正発明の特定事項Ｄのうち「前記第１保留表示」「を前記縮小する画像として含めず、前記背景の画像の前面に表示し、」との特定事項を備える
　また、引用発明のｄは、画像表示領域内の背景画像以外の領域には例えば単色の塗りつぶし画像が表示されるものであるところ、背景画像の縮小表示が背景画像以外の領域と明確に区別できるように、前記「単色の塗りつぶし画像」が背景画像の縮小表示との間にコントラストをなすような表示態様であることは自明である。
　そうすると、引用発明の「ｄ　背景画像の縮小表示に伴い、左中右図柄表示領域２０８ａ〜２０８ｃの表示領域も縮小表示され、特図１保留アイコン表示領域の配置や、特図１台座９００、保留アイコン９０１の表示は背景画像の縮小表示とは連動せずに元の位置で元の大きさで表示され、画像表示領域内の背景画像以外の領域には例えば単色の塗りつぶし画像が表示され（【０２７０】）、特図１台座９００及び保留アイコン９０１は、縮小表示された背景画像の前面に表示され」と、本願補正発明の「Ｄ　前記縮小表示演出において、縮小する画像と、前記縮小する画像が表示されている領域の周囲に位置する背景の画像との間にコントラストを設けた表示とすることが可能であり、前記第１保留表示と、前記第２保留表示とを前記縮小する画像として含めず、前記背景の画像の前面に表示し、」とは、「前記縮小表示演出において、縮小する画像と、前記縮小する画像が表示されている領域の周囲に位置する背景の画像との間にコントラストを設けた表示とすることが可能であり、前記第１保留表示」「を前記縮小する画像として含めず、前記背景の画像の前面に表示し、」で一致する。
（ｆ）引用発明の「パチンコ機１００」は、本願発明の「遊技機」に相当する。
上記（ａ）ないし（ｆ）からみて、本願補正発明と引用発明とは、
「Ａ　識別情報を変動表示する変動表示ゲームを表示可能な表示手段と、この表示手段を制御する制御手段とを備え、
　Ｂ’前記制御手段は、
　　　前記表示手段の表示領域に、
　　　未実施の前記変動表示ゲームの回数を示す第１保留表示を表示可能であり、
　Ｃ　前記表示手段の表示領域に表示している画像が縮小する縮小表示演出を実行可能であり、
　Ｄ’前記縮小表示演出において、縮小する画像と、前記縮小する画像が表示されている領域の周囲に位置する背景の画像との間にコントラストを設けた表示とすることが可能であり、前記第１保留表示を前記縮小する画像として含めず、前記背景の画像の前面に表示する、
　Ｆ　遊技機。」である点で一致し、以下の点で相違する。
・相違点１（特定事項Ｂ、Ｄ）
「保留表示」に関し、
　本願補正発明では、「未実施の前記変動表示ゲームの回数を前記第１保留表示とは異なる態様で示す第２保留表示」「を表示可能であ」り、「前記第２保留表示」「を前記縮小する画像として含め」ないのに対し、
　引用発明では、白色円形の特図１保留アイコン（第１保留表示）を表示可能としているものの、特図１保留アイコンとは異なる表示態様で示す第２保留表示を表示可能であるかどうかが明らかでない点。
・相違点２（特定事項Ｅ）
「縮小する画像」に関し、
　本願補正発明では、「前記縮小する画像に含まれる複数の画像オブジェクトを、当該画像オブジェクト毎に縮小する割合を異ならせて表示することが可能である」のに対し、
　引用発明では、そのような特定がない点。
（５）判断
　ア　相違点１について
　（ア）引用例２の記載事項（上記（３））の「特図１保留数表示領域９３１では「２」が表示され」ること、及び、「特図１保留アイコン表示領域９５０の第２領域に黒色円形で表示され」は、保留表示として相互に異なる態様で示され、それぞれ本願補正発明の「第１保留表示」及び「第２保留表示」に相当するから、引用例２の記載事項は、本願補正発明の特定事項Ｂを備える。
　（イ）引用発明を認定した引用例１には、実施例１として、装飾図柄表示装置２０８において、白色円形である特図１保留アイコン９０１、９０３（【０２２６】、図１６（ａ）、図１７（ａ）等）と、白色四角形である特図２保留アイコン９１１、９１３（【０２３０】、図１６（ｇ）、図１７（ａ）等）とを表示可能であること（以下「引用例１の記載事項」という。）が記載されている。引用例１の記載事項の「白色円形である特図１保留アイコン９０１」及び「白色四角形である特図２保留アイコン９１１」は、それぞれ本願補正発明の「第１保留表示」及び「第２保留表示」に相当するから、引用例１の記載事項は、本願補正発明の特定事項Ｂを備える。
　（ウ）引用発明と、引用例１又は２の記載事項とは、パチンコ遊技機において、表示装置に保留表示をすることで共通するから、引用例１又は２の記載事項を引用発明に適用し、前記表示手段の表示領域に、特図１保留アイコン（第１保留表示）だけでなく、特図１保留アイコン（第１保留表示）とは異なる態様で示す保留表示（第２保留表示）を表示可能となすことは当業者が適宜なし得たことである。
　そして、引用発明において、特図１保留アイコン（第１保留表示）とは異なる態様で示す保留表示（第２保留表示）を表示可能とした際に、該保留表示（第２保留表示）を特図１保留アイコン（第１保留表示）と同様に、縮小する画像として含めないようにすることは当業者に自明な事項である。
　してみると、引用発明において、上記相違点１に係る本願補正発明の特定事項となすことは、当業者が引用例１及び２の記載事項に基づいて適宜なし得たことである。
　イ　相違点２について
　（ア）パチンコ遊技機において、遊技の興趣の向上を目的として、表示装置に表示可能な複数の画像を、当該画像毎に縮小する割合を異ならせて表示することを可能とすることは本願の出願前に周知（以下「周知技術」という。例．特開平１１−１５６０１３号公報（特に「【０１２０】次に、図１４〜図１７を参照して、特殊リーチの第２実施形態について説明する。第２実施形態に係る縮小リーチは、可変表示中の中図柄のうち、リーチ図柄を除くすべての図柄が可変表示方向に縮小されて表示される点に特徴を有する。」との記載、「【０１５８】（３）第２実施形態では、図１６に示したようにリーチ図柄以外の図柄をすべて均等に縮小しているが、縮小する割合を各図柄に応じて変化させるように構成してもよく、また、一部の図柄については縮小しないように構成してもよい。」との記載、図１４ないし図１６の記載参照。）、特開２００２−９５８２１号公報（特に「【００５５】そして、図５（ｂ）に示すように、図柄（Ｌ〜Ｒ）の表示は、基準点Ｐに近づくほど小さくなるようにする。即ち、図５（ｂ）では、Ｒ＞Ｍ＞Ｌの順の大きさとなるようにしている。」との記載、図５、図６及び図８の記載参照。）、特開２０００−５３９８号公報（特に「【００３７】・・・また、上記実施例においては、図柄表示装置２５の左列の図柄および右列の図柄を同一サイズに縮小したが、これに限定されるものではなく、例えば両者を異なるサイズに縮小しても良い。」との記載参照。））である。
　（イ）引用発明と周知技術とは、パチンコ遊技機において、遊技の興趣の向上を目的として、表示装置に表示されている画像を縮小表示する演出を実行可能とする点で共通するから、引用発明に接した当業者であれば、当然周知技術も念頭におくものである。
　そうすると、引用発明において、縮小表示される画像に含まれる図柄等の複数の画像（画像オブジェクト）を、当該画像毎に縮小する割合を異ならせて表示することを可能とすること、すなわち、上記相違点２に係る本願補正発明の特定事項となすことは、当業者が周知技術に基づいて適宜なし得たことである。
（６）本願補正発明の奏する効果は、引用発明の奏する効果、引用例１の記載事項の奏する効果、引用例２の記載事項の奏する効果及び周知技術の奏する効果から、予測することができた程度のものである。
（７）請求人の主張について
　請求人は、審判請求書の「【本願発明が特許されるべき理由】」の「（ニ）本願発明と引用文献との対比」において、以下のとおり主張している。
「しかし、補正後の本願発明と引用文献とは、以下の構成で異なります。
　即ち、補正後の本願発明は、
「前記制御手段は、
　前記表示手段の表示領域に表示している画像が縮小する縮小表示演出を実行可能であり、
　前記縮小表示演出において、縮小する画像と、前記縮小する画像が表示されている領域の周囲に位置する背景の画像との間にコントラストを設けた表示とすることが可能であり、」という特徴Ａと、
「前記制御手段は、
　前記表示手段の表示領域に、
　未実施の前記変動表示ゲームの回数を示す第１保留表示と、
　未実施の前記変動表示ゲームの回数を前記第１保留表示とは異なる態様で示す第２保留表示と、を表示可能であり
　前記第１保留表示と、前記第２保留表示とを前記縮小する画像として含めず、前記背景の画像の前面に表示し、」という特徴Ｂに加えて、
「前記縮小する画像に含まれる複数の画像オブジェクトを、当該画像オブジェクト毎に縮小する割合を異ならせて表示することが可能である」という特徴Ｃをさらに有します。
　そして、これらの特徴Ａ、特徴Ｂ、及び特徴Ｃを含む構成によって、既述した効果を実現しています。特に特徴Ｃによれば、複数のオブジェクトを縮小させて興趣の高い表示演出を実現しつつ、オブジェクト毎に必要な大きさを保持して、例えば演出中にも文字等を容易に読み取れる効果が得られます。
　これに対して、各引用文献には、上記特徴Ｃについて明示または示唆する記載が見当たりません。
　このため、各引用文献に記載された構成を組み合わせることができたとしても、補正後の本願発明と同等の構成及び効果を実現することはできません。
　よって補正後の本願発明は、当業者が引用文献に記載された発明を参酌したとしても、容易に想到できるものではないと思料いたします。」
　しかしながら、上記特徴Ｃ（本願補正発明のＥ）に相当する事項は、上記（５）イ（ア）のとおり周知技術であり、上記（５）イ（イ）で示したとおり、周知技術を考慮すれば、引用発明において、上記特徴Ｃの構成要素（本願補正発明のＥ）のようにすることは当業者が容易に想到し得たものである。
　したがって、上記主張は採用できない。
（８）まとめ
　以上のように、本願補正発明は、当業者が、引用発明、引用例１の記載事項、引用例２の記載事項及び周知技術に基いて容易に発明をすることができたものである。
　したがって、本願補正発明は、特許法第２９条第２項の規定により特許出願の際独立して特許を受けることができないものである。
４　むすび
　よって、本件補正は、特許法第１７条の２第６項において準用する同法第１２６条第７項の規定に違反するので、同法第１５９条第１項において読み替えて準用する同法第５３条第１項の規定により却下すべきものである。
第３　本願発明について
１　本願発明
　本件補正は上記第２のとおり却下されたので、本願の請求項１に係る発明は、平成３０年１２月１３日提出の手続補正書により補正された特許請求の範囲の請求項１に記載されたとおりのものであるところ、その請求項１に係る発明（以下、「本願発明」という。）は、上記第２［理由］１に本件補正前の請求項１として記載したとおりのものである。
２　原査定の拒絶の理由の概要
　原査定の拒絶の理由は、この出願の平成３０年１２月１３日提出の手続補正書により補正された請求項１に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない、というものを含むものである。
＜引用文献等一覧＞
　引用文献１．特許第５９５３５４３号公報
　引用文献２．特開２０１５−１５０１１０号公報
 
３　引用例
　引用例１（引用文献２）及び引用例２（引用文献１）に記載されている事項は、上記第２［理由］３（２）ア及びイに記載したとおりである。
　
４　対比・判断
　本願発明（上記第２［理由］１）は、本願補正発明（上記第２［理由］３（１））から、上記相違点２に係る発明特定事項を削除したものである。
　そうすると、本願発明と引用発明とは、上記相違点１でのみ相違するから、本願発明も上記第２［理由］３（５）アで示した理由と同様の理由により、当業者が、引用発明、引用例１に記載の事項及び引用例２の記載事項に基いて、容易に発明をすることができたものである。
５　むすび
　以上のとおりであるから、本願発明は、特許法第２９条第２項の規定により特許を受けることができない。
　したがって、本願は、拒絶されるべきものである。
　よって、結論のとおり審決する。